【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
車両の端部に開口部を有している車両用収納装置において、
前記車両用収納装置のフロア底面は、当該フロア底面の上面から下がった状態に形成された段部と、
前記段部の後方側に配置されて、前記開口部の下端部の高さと略同一の高さに設けられた第一フロア底面と、
前記段部の前方側に配置されて、前記第一フロア底面の高さより高く設けられた第二フロア底面と、
前記第一フロア底面から前記第二フロア底面に亘って配置された蓋部材と、を有し、
前記蓋部材は、当該蓋部材の前後端部のどちらか一方にのみ、前記フロア底面に対して水平な状態になる平面部から突出して前記平面部に略垂直な略垂直面が形成されると共に、当該蓋部材の表裏前後に向きを変えて配置することにより上面の形状が変わることを特徴とする車両用収納装置。
【請求項２】
前記段部内には、前記蓋部材の前端部を支持する前側支持部と、前記蓋部材の後端部を支持する後側支持部と、を有し、
前記蓋部材は、前記略垂直面側を後側にし、前記略垂直面が形成されていない側を前側にして前記段部上に載置された際に、前記水平面と前記第二フロア面とが略水平になることを特徴とする請求項１に記載の車両用収納装置。
【請求項３】
前記蓋部材は、前記水平面と前記第二フロア面とが略水平な状態から裏返して、前記略垂直面側を前側に配置した際に、当該蓋部材の後側端部の上面と、前記開口部の下端部の高さとが略同一になることを特徴とする請求項２に記載の車両収納装置。
【請求項４】
前記蓋部材は、前後方向に断面した形状が略三角形状に形成されて前記段部を閉塞可能であることを特徴とする請求項１ないし請求項３のいずれか１項に記載の車両用収納装置。
【請求項５】
前記蓋部材は、傾斜面を有し、
前記傾斜面には、凹部が形成されていることを特徴とする請求項２に記載の車両用収納装置。
【手続補正２】
【補正対象書類名】明細書
【補正対象項目名】０００５
【補正方法】変更
【補正の内容】
【０００５】
前記課題を解決するための手段として、請求項１に記載の車両用収納装置は、車両の端部に開口部を有している車両用収納装置において、前記車両用収納装置のフロア底面は、当該フロア底面の上面から下がった状態に形成された段部と、前記段部の後方側に配置されて、前記開口部の下端部の高さと略同一の高さに設けられた第一フロア底面と、前記段部の前方側に配置されて、前記第一フロア底面の高さより高く設けられた第二フロア底面と、前記第一フロア底面から前記第二フロア底面に亘って配置された蓋部材と、を有し、前記蓋部材は、当該蓋部材の前後端部のどちらか一方にのみ、前記フロア底面に対して水平な状態になる平面部から突出して前記平面部に略垂直な略垂直面が形成されると共に、当該蓋部材の表裏前後に向きを変えて配置することにより上面の形状が変わることを特徴とする。
【手続補正３】
【補正対象書類名】明細書
【補正対象項目名】０００６
【補正方法】変更
【補正の内容】
【０００６】
かかる構成によれば、車両用収納装置のフロア底面は、このフロア底面の上面から下がった状態の段部と、開口部の下端部の高さと略同一の高さとした第一フロア底面と、この第一フロア底面の高さより高く設けられた第二フロア底面と、後方側の第一フロア底面から前方側の第二フロア底面に亘って配置された蓋部材と、を有している。その蓋部材は、前後端部のどちらか一方にのみ、平面部に略垂直な略垂直面が形成されていることによって、表裏前後の向きを変えることにより、蓋部材の上面を高い面にしたり、低い面にしたりして蓋体の上面の形状を変えることができる。このため、蓋部材は、上面が車両の後側に低くなるように配置すれば、重量物や、車輪を有する自転車、バイク、車椅子等の荷物を車両内に運び込み易くすることができる。
【手続補正４】
【補正対象書類名】明細書
【補正対象項目名】０００７
【補正方法】変更
【補正の内容】
【０００７】
請求項２に記載の車両用収納装置の発明は、請求項１に記載の車両用収納装置であって、前記段部内には、前記蓋部材の前端部を支持する前側支持部と、前記蓋部材の後端部を支持する後側支持部と、を有し、前記蓋部材は、前記略垂直面側を後側にし、前記略垂直面が形成されていない側を前側にして前記段部上に載置された際に、前記水平面と前記第二フロア面とが略水平になることを特徴とする。
【手続補正５】
【補正対象書類名】明細書
【補正対象項目名】０００８
【補正方法】変更
【補正の内容】
【０００８】
かかる構成によれば、蓋部材は、略垂直面側を後側にし、略垂直面が形成されていない側を前側にして段部上に載置された際に、水平面と第二フロア面とが略水平な状態になる。このようにすると、荷室１ｄの底面となる蓋部材６上が水平な状態になっているので、荷物が傾いた状態に載置されるのを防止することができる。
【手続補正６】
【補正対象書類名】明細書
【補正対象項目名】０００９
【補正方法】変更
【補正の内容】
【０００９】
請求項３に記載の車両用収納装置の発明は、請求項２に記載の車両用収納装置であって、前記蓋部材は、前記水平面と前記第二フロア面とが略水平な状態から裏返して、前記略垂直面側を前側に配置した際に、当該蓋部材の後側端部の上面と、前記開口部の下端部の高さとが略同一になることを特徴とする。
かかる構成によれば、蓋部材は、蓋部材の後側端部の上面と、開口部の下端部の高さとが略同一となることにより、開口部の下端部と蓋部材の後側端部の上面との間に段差がないので、荷物を持ち上げる高さを低くすることができる。このため、荷物を荷室に載せる作業が容易になる。
【手続補正７】
【補正対象書類名】明細書
【補正対象項目名】００１０
【補正方法】変更
【補正の内容】
【００１０】
請求項４に記載の車両用収納装置の発明は、請求項１ないし請求項３のいずれか１項に記載の車両用収納装置であって、前記蓋部材は、前後方向に断面した形状が略三角形状に形成されて前記段部を閉塞可能であることを特徴とする。
かかる構成によれば、蓋部材は、前後方向に断面した形状が略三角形状になるので、フロア底面を傾斜させたスロープ状の床面にすることができる。このため、蓋部材は、上面が車両の後側に低くなるように傾斜させて配置すれば、重量物や、車輪を有する自転車、バイク、車椅子等の荷物を車両内に運び込み易くすることができる。
請求項５に記載の車両用収納装置の発明は、請求項２に記載の車両用収納装置であって、前記蓋部材は、傾斜面を有し、前記傾斜面には、凹部が形成されていることを特徴とする。
かかる構成によれば、蓋部材は、傾斜面に凹部が形成されていることにより、その凹部に小物を入れるための小物入れとして使用することができるので、便利である。
【手続補正８】
【補正対象書類名】明細書
【補正対象項目名】００２６
【補正方法】変更
【補正の内容】
【００２６】
前記蓋部材６は、段部４に係合させる場合、図５（ａ）〜（ｃ）に示すように、使用用途に合わせて適宜に蓋部材６を表裏前後に向きを変えて、段部４内の前側支持部４ｂおよび後側支持部４ｃ上に載置して使用することができるようになっている。
図５（ａ）に示すように、蓋部材６は、蓋本体６ｃの平面部６ｇが上側になるように蓋部材６を配置すれば、蓋部材６の上面を水平な状態にすることができるようになっている。
図５（ｂ）に示すように、蓋本体６ｃは、凹部６ｉを上にして傾斜面６ｈを後側に配置すれば、蓋部材６の上面を後側に下降するようも傾斜させて配置することができる。
また、図５（ｃ）に示すように、蓋部材６は、前後方向に反転させて傾斜面６ｈを上側にして凹部６ｉが後側になるように配置することもできる。
【手続補正９】
【補正対象書類名】明細書
【補正対象項目名】００３９
【補正方法】変更
【補正の内容】
【００３９】
１      車両
１ａ    端部
１ｂ    ドア開口部（開口部）
１ｃ    下端部
１ｄ    荷室
１ｅ    フロア底面
１ｆ 荷室前端部（第二フロア底面）
１ｇ 荷室後端部（第一フロア底面）
２      扉
３      車両用収納装置
４      段部
４ａ    開口
４ｂ    前側支持部
４ｃ    後側支持部
５      収納凹部
６      蓋部材
６ａ    一端部（蓋部材の前後方向の端部）
６ｂ    他端部（蓋部材の前後方向の端部）
６ｃ    蓋本体
６ｄ    脇板
６ｅ    側板
６ｇ    平面部
６ｈ    傾斜面
６ｉ    凹部
６ｊ    略垂直面
Ｈ１    荷室前端部の高さ（フロア底面の前後方向の一方の高さ）
Ｈ２    略垂直面の高さ
Ｈ３    前側支持部の高さ
Ｈ４    蓋部材の高さ
Ｈ５    後側支持部の高さ（段部の他方の高さ）
Ｈ６    荷室後端部の高さ（ドア開口部の下端部の高さ）
【手続補正１０】
【補正対象書類名】図面
【補正対象項目名】図５
【補正方法】変更
【補正の内容】
【図５】
2009208632.tif 000001